【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオデータのトラックを解析することと、ここにおいて、前記トラックは１つ以上のビューを含む、
前記トラック中の前記１つ以上のビューの少なくとも１つを復号するために参照ビューのテクスチャビューが必要とされるか深度ビューが必要とされるかを決定するために、情報を解析することと、ここにおいて、情報を解析することが、サンプルエントリーとマルチビューグループエントリーの少なくとも１つからのビュー識別子ボックスを解析することを備え、前記サンプルエントリーと前記マルチビューグループエントリーの前記少なくとも１つが前記トラックと関連付けられ、
前記参照ビューの指示された前記テクスチャビュー又は深度ビューに基づいてビデオデータの前記トラック中の前記１つ以上のビューの前記少なくとも１つを復号することと、
を備える、方法。
【請求項２】
ビデオデータを処理するための装置であって、
ビデオデータを記憶するように構成されるメモリと、
ビデオデータのトラックを解析し、ここにおいて、前記トラックは１つ以上のビューを含む、
サンプルエントリーとマルチビューグループエントリーの少なくとも１つからのビュー識別子ボックスを解析し、前記サンプルエントリーと前記マルチビューグループエントリーの前記少なくとも１つが、前記トラック中の前記１つ以上のビューの少なくとも１つを復号するために参照ビューのテクスチャビューが必要とされるか深度ビューが必要とされるかを決定するために前記トラックと関連付けられ、
前記参照ビューの指示された前記テクスチャビュー又は深度ビューに基づいてビデオデータの前記トラック中の前記１つ以上のビューの前記少なくとも１つを復号する
ように構成される１つ以上のプロセッサとを備える、装置。
【請求項３】
前記１つ以上のプロセッサが、前記トラックがテクスチャビューのみを含むか、深度ビューのみを含むか、又はテクスチャビューと深度ビューとを含むかを、前記ビュー識別子ボックスから決定し、および／または、
前記トラックに含まれる各ビューに対して、前記ビューがテクスチャビューか深度ビューかを前記ビュー識別子ボックスから決定する
ように更に構成される、請求項２に記載の装置。
【請求項４】
前記ビデオデータが、テクスチャビューと深度ビューとを含む第１のビデオデータを備え、
前記第１のビデオデータに基づいて、第２のビデオデータを解析するように構成され、情報を解析するが、前記第２のビデオデータを復号するために前記第１のビデオデータの前記テクスチャビューが必要とされるか、前記深度ビューが必要とされるか、又は前記テクスチャビューと前記深度ビューの両方が必要とされるかを決定するために、情報を解析するを備える、請求項２に記載の装置。
【請求項５】
前記トラックが１つ以上の深度ビューを含み、前記１つ以上の深度ビューの空間分解能を決定するために３次元ビデオコード化（３ＶＣ）深度分解能ボックスを解析すると、前記トラックに含まれる深度ビューの幅と高さとを決定するために３ＶＣデコーダ構成記録を解析するとの少なくとも１つを実行するように更に構成される、請求項２に記載の装置。
【請求項６】
ビデオデータを処理する方法であって、
ビデオデータのトラックを合成することと、ここにおいて、前記トラックは１つ以上のビューを含む、
前記トラック中の前記１つ以上のビューの少なくとも１つを復号するために参照ビューのテクスチャビューが必要とされるか深度ビューが必要とされるかを示す情報を合成することと、ここにおいて、情報を合成することが、サンプルエントリーとマルチビューグループエントリーの少なくとも１つからのビュー識別子ボックスを合成することを備え、前記サンプルエントリーと前記マルチビューグループエントリーの前記少なくとも１つが前記トラックと関連付けられる、
前記参照ビューの指示された前記テクスチャビュー又は深度ビューに基づいてビデオデータの前記トラック中の前記１つ以上のビューの前記少なくとも１つを符号化することと、
を備える、方法。
【請求項７】
ビデオデータを記憶するように構成されるメモリと、
ビデオデータのトラックを合成し、ここにおいて、前記トラックは１つ以上のビューを含む、
サンプルエントリーとマルチビューグループエントリーの少なくとも１つからのビュー識別子ボックスを合成し、ここにおいて、前記サンプルエントリーと前記マルチビューグループエントリーの前記少なくとも１つが前記トラックと関連付けられ、前記ビュー識別子ボックスは、前記トラック中の前記１つ以上のビューの少なくとも１つを復号するために参照ビューのテクスチャビューが必要とされるか深度ビューが必要とされるかを示す、
前記参照ビューの指示された前記テクスチャビュー又は深度ビューに基づいてビデオデータの前記トラック中の前記１つ以上のビューの前記少なくとも１つを符号化する
ように構成される１つ以上のプロセッサとを備える、装置。
【請求項８】
前記１つ以上のプロセッサが、前記トラックがテクスチャビューのみを含むか、深度ビューのみを含むか、又はテクスチャビューと深度ビューとを含むかを、前記ビュー識別子ボックスにおいて示し、および／または、前記トラックに含まれる各ビューに対して、前記ビューがテクスチャビューか深度ビューかを前記ビュー識別子ボックスにおいて示す
ように更に構成される、請求項７に記載の装置。
【請求項９】
前記ビデオデータが、テクスチャビューと深度ビューとを含む第１のビデオデータを備え、
前記第１のビデオデータに基づいて、第２のビデオデータを合成するように更に構成され、情報を合成するが、前記第２のビデオデータを解析するために前記第１のビデオデータの前記テクスチャビューが必要とされるか、前記深度ビューが必要とされるか、又は前記テクスチャビューと前記深度ビューの両方が必要とされるかを示す情報を合成するを備える、請求項７に記載の装置。
【請求項１０】
１つ以上のビューと関連付けられる３次元スケーラビリティ情報補足強化情報（ＳＥＩ）メッセージを含む、ＳＥＩメッセージボックスを解析または合成するように更に構成される、請求項２または請求項７に記載の装置。
【請求項１１】
前記トラックが１つ以上の深度ビューを含み、３次元ビデオコード化（３ＶＣ）深度分解能ボックスにおいて前記１つ以上の深度ビューの空間分解能を示す情報を合成すると、３ＶＣデコーダ構成記録を合成するとの少なくとも１つを実行するように更に構成され、前記３ＶＣデコーダ構成記録が、前記トラックに含まれる深度ビューの幅と高さとを示す、請求項７に記載の装置。
【請求項１２】
前記トラックが第１のトラックであり、前記第１のトラックがビューの深度ビューと前記ビューのテクスチャビューの１つを含み、
ビデオデータの第２のトラックを解析または合成するように更に構成され、前記第２のトラックが、前記第１のトラックに含まれない、前記ビューの前記深度ビューと前記ビューの前記テクスチャビューの前記１つを含み、前記装置が好ましくは、
前記第２のトラックを参照する前記第１のトラックに対するトラック参照を解析または合成するように更に構成され、前記トラック参照が、前記第２のトラックに記憶されている前記テクスチャビューと関連付けられる前記深度ビューを前記第１のトラックが含むことと、前記第１のトラックが前記第２のトラックに記憶されている前記テクスチャビューに依存することと、前記第１のトラックが前記第２のトラックに記憶されている深度ビューに依存することとの１つを示す、少なくとも１つのトラック参照タイプを含む、請求項２または請求項７に記載の装置。
【請求項１３】
前記トラックが３次元ビデオコード化（３ＶＣ）トラックであり、
３ＶＣデコーダ構成記録を解析または合成するように更に構成され、前記３ＶＣデコーダ構成記録が、前記ビデオデータの一致するサンプルエントリーに対する構成記録を示す、請求項２または請求項７に記載の装置。
【請求項１４】
前記トラックが、１つ以上の深度ネットワーク抽象化レイヤ（ＮＡＬ）単位を含む３次元ビデオコード化（３ＶＣ）トラックであり、前記トラックを解析するまたは前記トラックを合成するが更に、エクストラクタを許容するサンプルエントリータイプ「３ｖｃ１」と、エクストラクタを許容しないサンプルエントリータイプ「３ｖｃ２」の少なくとも１つをそれぞれ解析または合成することを備える、請求項２または請求項７に記載の装置。
【請求項１５】
命令を記憶したコンピュータ可読記憶媒体であって、前記命令が、実行されると、ビデオコード化装置の１つ以上のプロセッサに、請求項１または請求項６に記載の方法を実行させる、
コンピュータ可読記憶媒体。